Podtech/llm-jp-corpus-v4-ja_patent huggingface dataset:
【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
Ｒ信号、Ｇ信号及びＢ信号により駆動されるカラー受像管でビーム電流を制御する回路であって、
該Ｒ信号、Ｇ信号及びＢ信号のそれぞれを個別に増幅するため、該Ｒ信号、Ｇ信号及びＢ信号に結合される増幅器と、
Ｒ、Ｇ及びＢに対応する電流画像を与えるため、ガンマ補正により該増幅器の信号を加重するガンマ補正回路と、
該ガンマ補正回路の信号から、加重和信号が形成される加算回路と、
該増幅器の利得を制御するため、該加重和信号とビーム電流の情報項目との間での比較が行う比較器／積分器とを備え、
該Ｒ、Ｇ及びＢに対応する電流画像のそれぞれは、Ｒビーム電流、Ｇビーム電流及びＢビーム電流、及び／又は画像の鮮鋭度を調節するために制御回路により監視される、
ことを特徴とする回路。
【請求項２】
該制御回路からの信号、及び該ガンマ補正後に形成される該加重和信号は、決定回路で評価される、
ことを特徴とする請求項１記載の回路。
【請求項３】
該決定回路は、画像の鮮鋭度の制御、並びにＲビーム電流、Ｇビーム電流及びＢビーム電流の制御のため、該Ｒ信号、Ｇ信号及びＢ信号のタップの前に配置されているビデオプロセッサでＹ信号、Ｂ−Ｙ信号及びＲ−Ｙ信号に影響を与える、
ことを特徴とする請求項２記載の回路。
【請求項４】
Ｒ信号、Ｇ信号及びＢ信号により駆動されるカラー受像管でビーム電流を制御する方法であって、
該Ｒ信号、Ｇ信号及びＢ信号のそれぞれを増幅するため、該Ｒ信号、Ｇ信号及びＢ信号がタップ接続されて増幅器により増幅され、
電流画像を計算するため、ガンマ補正回路により該増幅器の信号が加重され、
これら加重された信号から加算回路で合計が形成され、
ビーム電流及び／又は画像の鮮鋭度を制御するため、比較器／積分器で該加算回路の合計がビーム電流の情報項目と比較される、
ことを特徴とする方法。
【請求項５】
該ガンマ補正により加重されたＲ信号、Ｇ信号及びＢ信号は、画像の鮮鋭度の制御のために制御回路で監視される、
ことを特徴とする請求項４記載の方法。
【請求項６】
該制御回路の信号及び該ガンマ補正後に形成される合計は、決定回路で評価され、該決定回路は、画像の鮮鋭度の制御及びビーム電流の制御のため、該Ｒ信号、Ｇ信号及びＢ信号のタップの前に配置されているビデオプロセッサでＹ信号、Ｂ−Ｙ信号及びＲ−Ｙ信号に影響を与える、
ことを特徴とする請求項５記載の方法。
【手続補正書】
【提出日】平成16年2月12日(2004.2.12)
【手続補正１】
【補正対象書類名】明細書
【補正対象項目名】特許請求の範囲
【補正方法】変更
【補正の内容】
【特許請求の範囲】
【請求項１】
動画情報が記録される記録媒体と、
上記記録媒体に記録されている動画情報を所定時間毎に分割する時間分割手段と、
動画情報を表示するよう制御すると供に、１つの画面領域を複数の小画面領域に分割し、この分割された複数の小画面領域の夫々に対応させて、上記時間分割手段により分割された所定時間毎の動画情報を夫々インデックス画像として表示するよう制御する表示制御手段と、
上記複数の小画面領域に表示されるインデックス画像の中から所望のインデックス画像を指定する入力手段とを備え、
上記表示制御手段は、上記入力手段によりインデックス画像が指定されると、上記指定されたインデックス画像に対応する動画情報を上記記録媒体から読み出し、表示させるようにしたことを特徴とする画像情報の表示装置。
【請求項２】
更に、上記時間分割手段により分割された所定時間毎の動画情報に対して所定量のオフセット時間を与えるオフセット手段を設けるようにした請求項１記載の画像情報の表示装置。
【請求項３】
記録媒体に動画情報を記録し、上記記録媒体に記録されている動画情報を所定時間毎に分割するステップと、
動画情報を表示するよう制御すると供に、１つの画面領域を複数の小画面領域に分割し、この分割された複数の小画面領域の夫々に対応させて、上記所定時間毎に分割された動画情報を夫々インデックス画像として表示するよう制御するステップと、
上記複数の小画面領域に表示されるインデックス画像の中から所望のインデックス画像を指定するステップと、
上記インデックス画像が指定されると、上記指定されたインデックス画像に対応する動画情報を上記記録媒体から読み出して、表示させるステップと
からなるようにしたことを特徴とする画像情報の表示方法。
【請求項４】
更に、上記所定時間毎の動画情報に対して所定量のオフセット時間を与えるステップを含むようにした請求項３記載の画像情報の表示方法。
【手続補正２】
【補正対象書類名】明細書
【補正対象項目名】００１４
【補正方法】変更
【補正の内容】
【００１４】
【課題を解決するための手段】
請求項１に係わる発明は、動画情報が記録される記録媒体と、記録媒体に記録されている動画情報を所定時間毎に分割する時間分割手段と、動画情報を表示するよう制御すると供に、１つの画面領域を複数の小画面領域に分割し、この分割された複数の小画面領域の夫々に対応させて、時間分割手段により分割された所定時間毎の動画情報を夫々インデックス画像として表示するよう制御する表示制御手段と、複数の小画面領域に表示されるインデックス画像の中から所望のインデックス画像を指定する入力手段とを備え、表示制御手段は、入力手段によりインデックス画像が指定されると、指定されたインデックス画像に対応する動画情報を記録媒体から読み出し、表示させるようにしたことを特徴とする画像情報の表示装置である。


【手続補正３】
【補正対象書類名】明細書
【補正対象項目名】００１６
【補正方法】変更
【補正の内容】
【００１６】
請求項３に係わる発明は、記録媒体に動画情報を記録し、記録媒体に記録されている動画情報を所定時間毎に分割するステップと、動画情報を表示するよう制御すると供に、１つの画面領域を複数の小画面領域に分割し、この分割された複数の小画面領域の夫々に対応させて、所定時間毎に分割された動画情報を夫々インデックス画像として表示するよう制御するステップと、複数の小画面領域に表示されるインデックス画像の中から所望のインデックス画像を指定するステップと、インデックス画像が指定されると、指定されたインデックス画像に対応する動画情報を記録媒体から読み出して、表示させるステップとからなるようにしたことを特徴とする画像情報の表示方法である。


【手続補正４】
【補正対象書類名】明細書
【補正対象項目名】００２６
【補正方法】変更
【補正の内容】
【００２６】
また、中間周波数回路３の出力の例えば４．５ＭＨｚのビート成分から検波された音声信号は、音声復調回路１２に供給される。音声復調回路１２で、オーディオ信号が復調される。このオーディオ信号がオーディオソース切り替えスイッチ１３の入力端子１３Ａに供給される。


【手続補正５】
【補正対象書類名】明細書
【補正対象項目名】００６７
【補正方法】変更
【補正の内容】
【００６７】
このように、各フィールドの画像を固定長のファイルとしてハードディスクドライブ３０に記録しているため、ある時刻Ｔのインデックス画像のハードディスク３０上でのアクセス・アドレスは、録画開始時刻からの経過時間をフィールド数に換算することにより、単純な演算により求めることができる。つまり、ハードディスク（ＨＤＤ）上の論理アドレスは、ハードディスクのスタートアドレスに、経過時間から換算したフィールド数とブロック固定長セクタ数とから以下のように求められる。
（ＨＤＤ上の論理アドレス）＝
（ＨＤＤのスタートアドレス＋（フィールド数）×（ブロック固定セクタ長）


【手続補正６】
【補正対象書類名】明細書
【補正対象項目名】００７０
【補正方法】変更
【補正の内容】
【００７０】
なお、この実施の形態では、受信画面に基づくビデオデータをハードディスクドライブに保存するようにしているが、この発明は、他の記録媒体、例えば、受信画面に基づきビデオデータを半導体メモリに保存するような場合にも同様に適用することができる。
【手続補正書】
【提出日】平成16年5月18日(2004.5.18)
【手続補正１】
【補正対象書類名】明細書
【補正対象項目名】特許請求の範囲
【補正方法】変更
【補正の内容】
【特許請求の範囲】
【請求項１】
回転駆動される磁極鉄心を有する回転子と、前記回転子の外周に対向配置されて複数のスロットをもつ固定子鉄心と前記スロットに収納された複数の電気導体とからなる固定子と、前記固定子を挟持する一対の椀形状のフレームを有し、前記固定子鉄心の軸方向の両側面外部には前記電気導体の渡り線がコイルエンドを形成している車両用交流発電機において、
前記電気導体は、前記スロット内に径方向に１列に配置され、
前記渡り線は、斜行部と前記斜行部に挟まれた頂部を持ち、前記斜行部は略二等辺三角形の二等辺を形成し、
前記頂部の頂角θは１００°以上とすることで、
前記コイルエンドが常用回転域以外の回転数において共振することを特徴とする車両用交流発電機。
【請求項２】
請求項１において、
前記電気導体は前記複数のスロットの深さ方向に対して互いに絶縁されてスロットの奥側に位置する外層と入り口側に位置する内層とに二分されたものが一対以上配設され、異なるスロットの前記外層、内層の導体が前記コイルエンドにおいて直列に接続されて全体で巻線をなすことを特徴とする車両用交流発電機。
【請求項３】
請求項２において、
前記導体は前記一対以上の内層導体、外層導体としてスロット内に挿入される直線部を持つ略Ｕ字状セグメントであり、ターン部には前記略二等辺三角形の二等辺と頂部があらかじめ形成されていることを特徴とする車両用交流発電機。
【請求項４】
請求項１ないし３において、
前記発電機の回転数の範囲は、１２００〜１５０００ｒｐｍであることを特徴とする車両用交流発電機。
【手続補正２】
【補正対象書類名】明細書
【補正対象項目名】０００９
【補正方法】変更
【補正の内容】
【０００９】
【課題を解決するための手段】
請求項１の車両用交流発電機によれば、回転駆動される磁極鉄心を有する回転子と、前記回転子の外周に対向配置されて複数のスロットをもつ固定子鉄心と前記スロットに収納された複数の電気導体とからなる固定子と、前記固定子を挟持する一対の椀形状のフレームとを有し、前記固定子鉄心の軸方向の両側面外部に前記電気導体の渡り線がコイルエンドを形成している車両用交流発電機において、前記電気導体は、前記スロット内に径方向に１列に配置され、前記渡り線は、斜行部と前記斜行部に挟まれた頂部を持ち、前記斜行部は略二等辺三角形の二等辺を形成し、前記頂部の頂角θは１００°以上であって、前記コイルエンドが常用回転域以外の回転数において共振することを特徴としている。これにより、一般走行での使用回転領域である常用回転域において、コイルエンドの異常振動を防止することができる。また、一般走行での使用回転領域において、磁気脈動によるコイルエンドの周方向の共振を防止すると共に、磁気脈動の倍数成分によるコイルエンドの周方向振動増加の場合においても、斜行部間の隙間を形成して導体セグメント間の短絡を防止することができる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２の車両用交流発電機によれば、請求項１の車両用交流発電機において、前記電気導体は前記複数のスロットの深さ方向に対して互いに絶縁されてスロットの奥側に位置する外層と入り口側に位置する内層とに二分されたものが一対以上配設され、異なるスロットの前記外層、内層の導体が前記コイルエンドにおいて直列に接続されて全体で巻線をなすことを特徴としている。これにより、斜行部間の隙間の形成を容易にできる。
【手続補正５】
【補正対象書類名】明細書
【補正対象項目名】００１２
【補正方法】変更
【補正の内容】
【００１２】
請求項３の車両用交流発電機によれば、請求項２の車両用交流発電機において、前記導体は前記一対以上の内、外層導体としてスロット内に挿入される直線部を持つ略Ｕ字状セグメントであり、ターン部には前記略二等辺三角形の二等辺と頂部があらかじめ形成されていることを特徴としている。ターン部の角度をあらかじめ１００°以上に形成して、且つ斜行部間に隙間を形成することが、さらに容易になる。
【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
入力画像の階調数より多い階調数のしきい値を有する第１のしきい値マスクを記憶するしきい値マスク記憶手段と、
複数の階調再現特性から１つの階調再現特性を選択する選択手段と、
前記選択手段により選択された階調再現特性に基づき、前記しきい値マスク記憶手段に記憶されている第１のしきい値マスクから入力画像の階調数と同じ階調数のしきい値を有する第２のしきい値マスクを生成する生成手段と、
前記生成手段により生成された第２のしきい値マスクを用いて、入力画像の画素値を変換する変換手段と、
前記変換手段により変換された画像を出力装置へ出力する出力手段と、
を有することを特徴とする画像処理装置。
【請求項２】
前記選択手段は、画像を出力する紙の種類を指定する指定手段を含み、指定された紙の種類に応じた階調再現特性を選択することを特徴とする請求項１に記載の画像処理装置。
【請求項３】
前記階調再現特性は、複数の入力値のそれぞれに対する出力ドット数を表す特性であり、前記生成手段は、第１のしきい値マスクのしきい値と選択された階調再現特性の出力ドット数を比較し、比較結果に応じて入力値を決定し、その決定した値を第２のしきい値マスクのしきい値とすることを特徴とする請求項１に記載の画像処理装置。
【請求項４】
更に、ガンマ特性を指定するガンマ特性指定手段を有し、
前記生成手段は、前記選択手段により選択された階調再現特性と前記ガンマ特性指定手段により指定されたガンマ特性に基づき、前記しきい値マスク記憶手段に記憶されている第１のしきい値マスクから第２のしきい値マスクを生成することを特徴とする請求項１に記載の画像処理装置。
【請求項５】
前記階調再現特性は、濃度検知用の複数のパッチを紙に出力し、その出力されたパッチの濃度を測定し作成されることを特徴とする請求項１に記載の画像処理装置。
【請求項６】
前記階調再現特性は、前記出力装置内で濃度検知用の複数のパッチを形成し、形成されたパッチの濃度を測定し作成されることを特徴とする請求項１に記載の画像処理装置。
【請求項７】
更に、カラーバランスを指示するカラーバランス指示手段を有し、
前記生成手段は、前記選択手段により選択された階調再現特性と前記カラーバランス指示手段により指示されたガンマ特性に基づき、前記しきい値マスク記憶手段に記憶されている第１のしきい値マスクから第２のしきい値マスクを生成することを特徴とする請求項１に記載の画像処理装置。
【請求項８】
複数の階調再現特性から１つの階調再現特性を選択する選択工程と、
前記選択工程で選択された階調再現特性に基づき、入力画像の階調数より多い階調数のしきい値を有する、記憶されている第１のしきい値マスクから前記入力画像の階調数と同じ階調数のしきい値を有する第２のしきい値マスクを生成する生成工程と、
前記生成工程で生成された第２のしきい値マスクを用いて、入力画像の画素値を変換する変換工程と、
前記変換工程で変換された画像を出力装置へ出力する出力工程と、
を有することを特徴とする画像処理方法。
【請求項９】
前記選択工程は、画像を出力する紙の種類を指定する指定工程を含み、指定された紙の種類に応じた階調再現特性を選択することを特徴とする請求項８に記載の画像処理方法。
【請求項１０】
前記階調再現特性は、複数の入力値のそれぞれに対する出力ドット数を表す特性であり、前記生成工程は、第１のしきい値マスクのしきい値と選択された階調再現特性の出力ドット数を比較し、比較結果に応じて入力値を決定し、その決定した値を第２のしきい値マスクのしきい値とすることを特徴とする請求項８に記載の画像処理方法。
【請求項１１】
更に、ガンマ特性を指定するガンマ特性指定工程を有し、  前記生成工程は、前記選択工程で選択された階調再現特性と前記ガンマ特性指定工程で指定されたガンマ特性に基づき、前記記憶されている第１のしきい値マスクから第２のしきい値マスクを生成することを特徴とする請求項８に記載の画像処理方法。
【請求項１２】
前記階調再現特性は、濃度検知用の複数のパッチを紙に出力し、その出力されたパッチの濃度を測定し作成されることを特徴とする請求項８に記載の画像処理方法。
【請求項１３】
前記階調再現特性は、前記出力装置内で濃度検知用の複数のパッチを形成し、形成されたパッチの濃度を測定し作成されることを特徴とする請求項８に記載の画像処理方法。
【請求項１４】
更に、カラーバランスを指示するカラーバランス指示工程を有し、
前記生成工程は、前記選択工程で選択された階調再現特性と前記カラーバランス指示工程で指示されたガンマ特性に基づき、前記記憶されている第１のしきい値マスクから第２のしきい値マスクを生成することを特徴とする請求項８に記載の画像処理方法。
【請求項１５】
請求項８に記載の画像処理方法をコンピュータに実行させるためのプログラムを記録したコンピュータ読み取り可能な記録媒体。
【手続補正２】
【補正対象書類名】明細書
【補正対象項目名】００１１
【補正方法】変更
【補正の内容】
【００１１】
【課題を解決するための手段】
上記目的を達成するために、本発明の画像処理装置は、入力画像の階調数より多い階調数のしきい値を有する第１のしきい値マスクを記憶するしきい値マスク記憶手段と、複数の階調再現特性から１つの階調再現特性を選択する選択手段と、前記選択手段により選択された階調再現特性に基づき、前記しきい値マスク記憶手段に記憶されている第１のしきい値マスクから入力画像の階調数と同じ階調数のしきい値を有する第２のしきい値マスクを生成する生成手段と、前記生成手段により生成された第２のしきい値マスクを用いて、入力画像の画素値を変換する変換手段と、前記変換手段により変換された画像を出力装置へ出力する出力手段とを有することを特徴とする。
【手続補正３】
【補正対象書類名】明細書
【補正対象項目名】００１２
【補正方法】変更
【補正の内容】
【００１２】
また上記目的を達成するために、本発明の画像処理方法は、複数の階調再現特性から１つの階調再現特性を選択する選択工程と、前記選択工程で選択された階調再現特性に基づき、入力画像の階調数より多い階調数のしきい値を有する、記憶されている第１のしきい値マスクから前記入力画像の階調数と同じ階調数のしきい値を有する第２のしきい値マスクを生成する生成工程と、前記生成工程で生成された第２のしきい値マスクを用いて、入力画像の画素値を変換する変換工程と、前記変換工程で変換された画像を出力装置へ出力する出力工程とを有することを特徴とする。
【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】
デジタル画像データを入力する入力手段を備え、当該画像データ中に所定の中間調領域が含まれるか否かを判定する画像認識装置において、
前記入力手段から入力された画像データ中から所定の中間調に属する画素ないし画素ブロックを検出する検出手段と、
この検出手段により検出された画素ないし画素ブロックが、主走査方向に所定個数連続するか否かを判定する第１の判定手段と、
この第１の判定手段によって注目ラインが所定個数連続した場合に注目ラインをアクティブラインとし、該アクティブラインが副走査方向に所定個数連続するか否かを判定する第２の判定手段と、
この第２の判定手段によって当該アクティブラインが副走査方向に所定個数連続すると判定された場合に、当該原稿中に所定の中間調領域が含まれると判定することを特徴とする画像認識装置。
【請求項２】
中間調領域は、印画紙の写真領域であることを特徴とする請求項１記載の画像認識装置。
【請求項３】
中間調領域は、印刷の写真領域であることを特徴とする請求項１記載の画像認識装置。
【手続補正２】
【補正対象書類名】明細書
【補正対象項目名】０００６
【補正方法】変更
【補正の内容】
【０００６】
【課題を解決するための手段】
請求項１記載の発明では、デジタル画像データを入力する入力手段を備え、当該画像データ中に所定の中間調領域が含まれるか否かを判定する画像認識装置において、前記入力手段から入力された画像データ中から所定の中間調に属する画素ないし画素ブロックを検出する検出手段と、この検出手段により検出された画素ないし画素ブロックが、主走査方向に所定個数連続するか否かを判定する第１の判定手段と、  この第１の判定手段によって注目ラインが所定個数連続した場合に注目ラインをアクティブラインとし、該アクティブラインが副走査方向に所定個数連続するか否かを判定する第２の判定手段と、この第２の判定手段によって当該アクティブラインが副走査方向に所定個数連続すると判定された場合に、当該原稿中に所定の中間調領域が含まれると判定することにより、前記第１の目的を達成する。
【手続補正書】
【提出日】平成16年8月9日(2004.8.9)
【手続補正１】
【補正対象書類名】明細書
【補正対象項目名】００４３
【補正方法】変更
【補正の内容】
【００４３】
フィルム情報としては、例えば、新写真システムのフィルムＦであれば、前述のフィルムＩＤが設定されているので、これを用いて、フィルムＦを特定することができる。なお、フィルムＩＤは、前述のように、磁気情報として記録されており、また、カートリッジやインデックスプリントにも記載されているので、キャリア３０による磁気情報の読み取りやオペレータによるキーボード入力等によって取得することができる。
【手続補正２】
【補正対象書類名】明細書
【補正対象項目名】００５４
【補正方法】変更
【補正の内容】
【００５４】
オペレータは、フィルムＦに応じたキャリアのスキャナ１２への装着、キャリア３０へのフィルムＦのセット、第１処理モードの選択、作成するプリントサイズ、各種の必要な指示や情報の入力等を行った後に、プリント作成開始を指示する。
これにより、スキャナ１２の可変絞り２４の絞り値等がプレスキャンの読取条件に応じて設定され、その後、キャリア３０がフィルムＦをプレスキャンの速度で副走査方向に搬送して、前述のように所定の読取位置において、フィルムＦがスリット走査されて投影光がイメージセンサ３４に結像して、フィルムＦに撮影された画像がＲ，ＧおよびＢに分解されて光電的に読み取られる。
また、キャリア３０によるフィルムの搬送の際に、フィルムＦに記録されたＤＸコードや磁気情報が読み取られ、処理装置１４に送られる。
以上の操作によって、装着されたキャリアの情報、磁気情報やＤＸコードの読み取り結果から、パラメータ統合部７６部が、フィルムＩＤ、フィルム種、コマ番号等の検索情報を取得する。
【手続補正３】
【補正対象書類名】明細書
【補正対象項目名】００６２
【補正方法】変更
【補正の内容】
【００６２】
本スキャンは、読取条件が各コマ毎に設定された本スキャンの読取条件となる以外はプレスキャンと同様に行われ、イメージセンサ３４の出力信号はアンプ３６、Ａ／Ｄ変換器３８で処理され、処理装置１４のデータ処理部４８で処理されて、Ｌｏｇ変換器５０で本スキャンデータとされ、本スキャンメモリ５２に送られる。
本スキャンデータが本スキャンメモリ５２に送られると、本スキャン処理部５８によって読み出され、各コマの画像領域が切り出され、処理部６６において各コマ毎に確定した画像処理条件で画像処理され、次いで、信号変換部６８で変換されて出力用の画像データとされ、プリンタ１６に出力され、この画像データを再生したプリントが作成される。
【手続補正４】
【補正対象書類名】明細書
【補正対象項目名】００７１
【補正方法】変更
【補正の内容】
【００７１】
出力指示によって、画像データの処理が確定し、準備が完了していれば本スキャンが開始される。なお、読取条件確定等に応じて本スキャンが可能であれば、出力指示の前に本スキャンを行ってもよいのは第１処理モードと同様である。
本スキャンは、基本的に第１処理モードと同様に行われ、スキャナ１２は、供給された本スキャンの読取条件の基で読み取りを行い、イメージセンサ３４からの出力信号はアンプ３６で増幅されて、Ａ／Ｄ変換器３８でデジタル信号とされ、処理装置１４のデータ処理部４６で処理されて、Ｌｏｇ変換器４８で本スキャンデータとされ、本スキャンメモリ５２に送られ、記憶される。
次いで、本スキャンデータが本スキャンメモリ５２から読み出され、処理部６６において設定された処理条件で処理され、信号変換部６８において変換された出力用の画像データとされ、プリンタ１６に出力され、これを再現したプリントが出力される。
【手続補正５】
【補正対象書類名】明細書
【補正対象項目名】００７６
【補正方法】変更
【補正の内容】
【００７６】
シュミレーション画像が表示されると、第１処理モードと同様に、オペレータがディスプレイ２０の表示を見て、焼き直しするコマの検定を行い、必要に応じて、キーボード１８ａに設定された調整キー等を用いて、色、濃度、階調等の調整等（マニュアル補正）を行う。
調整の信号はキー補正部７４に送られ画像処理条件の補正量が算出され、この補正量がパラメータ統合部７６に送られ、処理部６２および処理部６６に設定した画像処理条件が補正され、オペレータによる入力に応じて、ディスプレイ２０に表示される画像も変化する。
オペレータは、検定ＯＫと判定すると、キーボード１８ａ等を用いて、出力指示を行い、そのコマ（画像）に施す処理が確定する。
【手続補正書】
【提出日】平成17年1月21日(2005.1.21)
【手続補正１】
【補正対象書類名】明細書
【補正対象項目名】請求項２
【補正方法】変更
【補正の内容】
【請求項２】
前記バーナの燃焼および前記通風手段の通風を制御する制御手段が備えられ、
前記制御手段が、炊飯が終了するに伴って、前記バーナの燃焼を停止させ、かつ、前記通風手段の通風を停止させるように構成されている請求項１に記載の燃焼式炊飯器。
【手続補正書】
【提出日】平成17年3月16日(2005.3.16)
【手続補正１】
【補正対象書類名】明細書
【補正対象項目名】００３４
【補正方法】変更
【補正の内容】
【００３４】
そして、各回転軸３９,４０,４１,４２には、対応するカムピン４３,４４,４５および被押圧ピン４６を、それぞれ、第１および第２チャッキングピン３１,３２がそれぞれ第１および第２ガイド孔２７,２８の内側端の方向つまり第１のＣＤ８の通路を閉じる方向に移動し、また第３および第４チャッキングピン３３,３４がそれぞれ第１および第２ガイド縁２９,３０の内側端の方向つまり第１のＣＤ８の通路を閉じる方向に移動するように常時付勢するスプリング４７,４８,４９,５０が設けられている。その場合、２つのスプリング４７,４８のばね力が他の２つのスプリング４９,５０のばね力より若干大きく設定されている。したがって、後述するように１２ｃｍあるいは８ｃｍの第１のＣＤ８がそれぞれ位置決め部２５ａ′,２６′に当接した正規位置に設定された状態では、２つのスプリング４７,４８のばね力で第１のＣＤ８は位置決め部２５ａ′,２６′に当接した状態に付勢されて維持され、正規位置が保持されるようになっている。
【手続補正２】
【補正対象書類名】明細書
【補正対象項目名】００３７
【補正方法】変更
【補正の内容】
【００３７】
更に、第１チャッキング制御部材５１はスプリング５６のばね力で図５（ｂ）において常時時計方向に付勢されており、この第１チャッキング制御部材５１の他の外力が加えられないときは、図５（ａ）および（ｂ）に示す状態、つまり第１および第２チャッキングピン３１,３２がそれぞれ第１および第２ガイド孔２７,２８の内側端に位置するとともに第３および第４チャッキングピン３３,３４がそれぞれ第１および第２ガイド縁２９,３０の内側端にほぼ位置して、第１のＣＤ８の通路を最も閉じた位置に設定されるようになっている。なお、スプリング５６に代えてスプリング４７,４８,４９,５０の力を利用することもできる。その場合は、スプリング５６は不要となり、部品店ｓぬうを削減でき、コストを低減できる。
【手続補正３】
【補正対象書類名】明細書
【補正対象項目名】００３８
【補正方法】変更
【補正の内容】
【００３８】
また、第１チャッキング制御部材５１は後述するように第１ラックスライダ７９により力が加えられて、図５（ｂ）において反時計方向にスプリング５６のばね力に抗して回転すると、各カムピン４３,４４,４５がガイドされるので、第１ないし第３ピン支持板３５,３６,３７がそれぞれ回転し、第１ないし第３チャッキングピン３１,３２,３３がそれぞれ対応する第１および第２ガイド孔２７,２８の外側端、第１ガイド縁２９の外側端の方へ向かって、つまり第１のＣＤ８の通路を開く方向にこれらの第１および第２ガイド孔２７,２８、第１ガイド縁２９にガイドされて移動するようになっている。
なお、第１チャッキング制御部材５１はこのような回転式に代えて、スライド式のスライダを用いることもできる。
【手続補正４】
【補正対象書類名】明細書
【補正対象項目名】００９１
【補正方法】変更
【補正の内容】
【００９１】
また、第１ラックスライダ７９の移動により、押圧部材８５の端８５ａが第１チャッキング制御部材５１の被押圧ピン５１ｂを押すので、第１チャッキング制御部材５１が回転する。これにより、チャッキングアーム３５,３６,３７,３８が回転し、第１ないし第４チャッキングピン３１,３２,３３,３４が図１８（ａ）のＣＤ待機位置となる。
【手続補正５】
【補正対象書類名】図面
【補正対象項目名】図２４
【補正方法】変更
【補正の内容】
【図２４】
2002334505.tif 000001
【手続補正６】
【補正対象書類名】図面
【補正対象項目名】図２５
【補正方法】変更
【補正の内容】
【図２５】
2002334505.tif 000002
【手続補正７】
【補正対象書類名】図面
【補正対象項目名】図２６
【補正方法】変更
【補正の内容】
【図２６】
2002334505.tif 000003
【手続補正８】
【補正対象書類名】図面
【補正対象項目名】図２７
【補正方法】変更
【補正の内容】
【図２７】
2002334505.tif 000004
【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
各々強誘電体記憶素子と前記強誘電体記憶素子に直列接続されたセル選択用トランジスタとを有する複数のメモリセルから成るセルアレイと、
各前記メモリセルの強誘電体記憶素子の強誘電体膜の分極量を通常書込み時に生じる分極量よりも小さく設定してインプリントの発生を抑制するインプリント抑制手段とを具備することを特徴とする強誘電体メモリ。
【請求項２】
前記インプリント抑制手段は、前記強誘電体記憶素子に、通常書込み時に印加される電圧よりも低い低電圧を印加することにより、前記強誘電体膜の分極量を小さくするように書き込みを行う低電圧書込み回路であることを特徴とする請求項１記載の強誘電体メモリ。
【請求項３】
前記インプリント抑制手段は、前記強誘電体記憶素子に、前記強誘電体記憶素子の抗電圧より大きく、かつ前記強誘電体記憶素子の前記強誘電体膜の分極量が飽和する飽和電圧より低い低電圧を印加することにより書込みを行う低電圧書込み回路であることを特徴とする請求項１記載の強誘電体メモリ。
【請求項４】
前記強誘電体記憶素子は強誘電体キャパシタから成ることを特徴とする請求項１記載の強誘電体メモリ。
【請求項５】
各々強誘電体記憶素子と前記強誘電体記憶素子に並列接続されたスイッチ用トランジスタとを有する複数のメモリセルから成るセルアレイと、
各前記メモリセルの強誘電体記憶素子の強誘電体膜の分極量を通常書込み時に生じる分極量よりも小さく設定してインプリントの発生を抑制するインプリント抑制手段とを具備することを特徴とする強誘電体メモリ。
【手続補正書】
【提出日】平成17年1月26日(2005.1.26)
【手続補正１】
【補正対象書類名】明細書
【補正対象項目名】特許請求の範囲
【補正方法】変更
【補正の内容】
【特許請求の範囲】
【請求項１】
記録媒体に記録されているRLL（Run Length Limited）符号化された信号を読み取って得られた読取信号に対して波形等化を行って等化補正読取信号を得る波形等化器であって、
前記読取信号の振幅レベルを最小反転間隔の次に短い記録データに対応する前記読取信号の振幅よりも小さい振幅制限値にて制限して振幅制限読取信号を得る振幅制限手段と、  前記振幅制限読取信号をフィルタリング処理したものを前記等化補正読取信号として出力するフィルタと、を備えたことを特徴とする波形等化器。
【請求項２】
前記フィルタは、前記最小反転間隔の記録データに対応する信号を強調するフィルタであることを特徴とする請求項１に記載の波形等化器。
【請求項３】
前記フィルタは、（−ｋ、ｋ、１、ｋ、−ｋ）なるタップ係数を有するＦＩＲフィルタであることを特徴とする請求項１又は２に記載の波形等化器。
【請求項４】
前記振幅制限値は、前記最小反転間隔の記録データに対応する読取信号の振幅以上であることを特徴とする請求項１乃至３のいずれか一項に記載の波形等化器。
【請求項５】
記録媒体に記録されているRLL（Run Length Limited）符号化された信号を読み取って得られた読取信号に対して波形等化を行って等化補正読取信号を得る波形等化器であって、
前記読取信号をフィルタリング処理する第１フィルタと、
前記読取信号の振幅レベルを最小反転間隔の次に短い記録データに対応する前記読取信号の振幅よりも小さい振幅制限値にて制限して振幅制限読取信号を得る振幅制限手段と、  前記振幅制限読取信号をフィルタリング処理する第２フィルタと、
前記第１フィルタ及び前記第２フィルタ各々によってフィルタリング処理されて得られた信号同士を加算したものを前記等化補正読取信号として出力する加算器と、を備えたことを特徴とする波形等化器。
【請求項６】
前記第１フィルタは、当該第１フィルタの出力と前記第２フィルタの出力との遅延時間を一致させることを特徴とする請求項５に記載の波形等化器。
【請求項７】
前記第２フィルタは、前記最小反転間隔の記録データに対応する信号を強調するフィルタであることを特徴とする請求項５又は６に記載の波形等化器。
【請求項８】
前記第２フィルタは、（−ｋ、ｋ、０、ｋ、−ｋ）なるタップ係数を有するＦＩＲフィルタであることを特徴とする請求項５乃至７のいずれか一項に記載の波形等化器。
【請求項９】
前記振幅制限手段に入力される前記読取信号に対して、フィルタリング処理する第３のフィルタを更に備えることを特徴とする請求項５乃至８のいずれか一項に記載の波形等化器。
【請求項１０】
記録媒体から記録情報の再生を行う記録情報再生装置であって、
前記記録媒体から前記記録情報の信号を読み取るピックアップと、前記ピックアップで読み取られた読取信号に対して波形等化を行って等化補正読取信号を得る波形等化器と、前記等化補正読取信号を復調して再生信号を出力する復調手段と、を備え、
前記波形等化器は、前記読取信号の振幅レベルを最小反転間隔の次に短い記録データに対応する前記読取信号の振幅よりも小さい振幅制限値にて制限して振幅制限読取信号を得る振幅制限手段と、
前記振幅制限読取信号をフィルタリング処理したものを前記等化補正読取信号として出力するフィルタと、を備えたことことを特徴とする記録情報再生装置。
【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
光ピックアップ対物レンズに対面するディスクに清掃部材を取り付け、該清掃部材により光ピックアップの対物レンズ面を、湿式で清掃する光ピックアップ清掃装置にあって、
前記清掃部材を設けた前記ディスクの裏側に吸収材を配置し、
前記吸収材と前記清掃部材との間にクリーニング液が流通可能な孔を設けてある
ことを特徴とする光ピックアップ対物レンズ清掃装置。
【請求項２】
前記清掃部材を設けた前記ディスクの前記裏側に凹形状部を形成し、前記凹形状部に前記吸収材を嵌め込んだことを特徴とする請求項１に記載の光ピックアップ対物レンズ清掃装置。
【請求項３】
前記清掃部材の一部が前記孔を通り、前記吸収材と接触することを特徴とする請求項１に記載の光ピックアップ対物レンズ清掃装置。
【請求項４】
前記清掃部材及び前記吸収材の少なくとも一方は、吸湿性に富んだ素材からなることを特徴とする請求項１乃至３の何れか１項に記載の光ピックアップ対物レンズ清掃装置。
【請求項５】
前記清掃部材及び前記吸収材の少なくとも一方は、多孔質で吸収性に富んだ素材からなることを特徴とする請求項１乃至３の何れか１項に記載の光ピックアップ対物レンズ清掃装置。
【手続補正２】
【補正対象書類名】明細書
【補正対象項目名】０００４
【補正方法】変更
【補正の内容】
【０００４】
【課題を解決するための手段】
本発明に係る光ピックアップ対物レンズ清掃装置は、光ピックアップ対物レンズに対面するディスクに清掃部材を取り付け、該清掃部材により光ピックアップの対物レンズ面を、湿式で清掃する光ピックアップ清掃装置にあって、前記清掃部材を設けた前記ディスクの裏側に吸収材を配置し、前記吸収材と前記清掃部材との間にクリーニング液が流通可能な孔を設けてあることを特徴とする。
【手続補正３】
【補正対象書類名】明細書
【補正対象項目名】０００５
【補正方法】変更
【補正の内容】
【０００５】
前記清掃部材を設けた前記ディスクの前記裏側に凹形状部を形成し、前記凹形状部に前記吸収材を嵌め込んだことを特徴とする。
【手続補正４】
【補正対象書類名】明細書
【補正対象項目名】０００６
【補正方法】変更
【補正の内容】
【０００６】
前記清掃部材及び前記吸収材の少なくとも一方は、吸湿性に富んだ素材、又は、多孔質で吸収性に富んだ素材からなることを特徴とする。
【手続補正５】
【補正対象書類名】明細書
【補正対象項目名】０００７
【補正方法】変更
【補正の内容】
【０００７】
前記吸収材にクリーニング液を垂らすことによって、前記吸収材が前記清掃部材の一部と前記貫通孔を通り接触しているため、該清掃部材にはクリーニング液が常に適量移行し適度な湿気を帯びる。
【手続補正書】
【提出日】平成16年8月25日(2004.8.25)
【手続補正１】
【補正対象書類名】明細書
【補正対象項目名】請求項２
【補正方法】変更
【補正の内容】
【請求項２】
前記突部は、前記クランパーの回転中心軸より前記ディスクの挿入方向側で且つ前記クランパーアームの作用部に設けるようにしたことを特徴とする請求項１記載のクランプ機構。
【手続補正２】
【補正対象書類名】明細書
【補正対象項目名】請求項３
【補正方法】変更
【補正の内容】
【請求項３】
前記突部の全部又は一部を、ディスク挿入方向側へ向けて前記突部の突出高さが低くなるように傾斜させたことを特徴とする請求項目１または２記載のクランプ機構。
【手続補正３】
【補正対象書類名】明細書
【補正対象項目名】請求項４
【補正方法】変更
【補正の内容】
【請求項４】
ディスクを載置するためのターンテーブルと、前記ディスクを前記ターンテーブルとの間に挟んで保持するクランパーと、前記クランパーを支承すると共に前記ディスクから離脱させるクランパーアームとを備えたクランプ機構において、前記クランパーを支持する際に前記クランパーと接触する前記クランパーアームの作用部の全部又は一部を、該ディスク挿入方向から離れるように傾斜させたことを特徴とするクランプ機構。
【手続補正４】
【補正対象書類名】明細書
【補正対象項目名】００１３
【補正方法】変更
【補正の内容】
【００１３】
請求項２に記載の発明は、請求項１記載のクランプ機構において、突部は、クランパーの回転中心軸よりディスクの挿入方向側で且つクランパーアームの作用部に設けるようにしている。
【手続補正５】
【補正対象書類名】明細書
【補正対象項目名】００１４
【補正方法】変更
【補正の内容】
【００１４】
したがって、突部をクランパーアームの作用部に設けることで、クランパーは突部に接触している場合に常に一定の方向に傾いた状態となる。さらに、突部をクランパーの回転中心軸よりディスクの挿入方向側に設けることで、クランパーはディスクが挿入される側を持ち上げるように傾いた状態となる。これにより、クランパーがクランパーアームに支持されているときにディスクが挿入された場合において、ディスクがクランパーに突き当たることを回避する。
【手続補正６】
【補正対象書類名】明細書
【補正対象項目名】００１５
【補正方法】変更
【補正の内容】
【００１５】
請求項３に記載の発明は、請求項１または２記載のクランプ機構において、突部の全部又は一部を、ディスク挿入方向側へ向けて突部の突出高さが低くなるように傾斜させるようにしている。
【手続補正７】
【補正対象書類名】明細書
【補正対象項目名】００１７
【補正方法】変更
【補正の内容】
【００１７】
請求項４に記載の発明は、ディスクを載置するためのターンテーブルと、ディスクをターンテーブルとの間に挟んで保持するクランパーと、クランパーを支承すると共にディスクから離脱させるクランパーアームとを備えたクランプ機構において、クランパーを支持する際にクランパーと接触するクランパーアームの作用部の全部又は一部を、該ディスク挿入方向から離れるように傾斜させている。
【手続補正８】
【補正対象書類名】明細書
【補正対象項目名】００４６
【補正方法】変更
【補正の内容】
【００４６】
さらに、請求項２に記載のクランプ機構では、突部は、クランパーの回転中心軸よりディスクの挿入方向側で且つクランパーアームの作用部に設けられるようにしているので、クランパーアームに支持されている際にディスクが挿入される側を持ち上げるように傾いた状態となる。これにより、ディスクが挿入された場合にディスクがクランパーに突き当たることを回避できる。
【手続補正９】
【補正対象書類名】明細書
【補正対象項目名】００４７
【補正方法】変更
【補正の内容】
【００４７】
さらに、請求項３に記載のクランプ機構では、突部の全部又は一部を、ディスク挿入方向側へ向けて突部の突出高さが低くなるように傾斜させるようにしているので、クランパーはディスクが挿入される側を持ち上げるように傾いた状態でクランプアームに安定して支持される。これにより、ディスクが挿入された場合にディスクがクランパーに突き当たることを確実に回避できる。
【手続補正１０】
【補正対象書類名】明細書
【補正対象項目名】００４８
【補正方法】変更
【補正の内容】
【００４８】
また、請求項４記載のクランプ機構のように、クランパーを支持する際にクランパーと接触するクランパーアームの作用部の全部又は一部を、該ディスク挿入方向から離れるように傾斜させているので、クランパーアームに支持されるクランパーの姿勢を傾斜部により規制して、挿入されるディスクがクランパーに当たってしまうことを確実に回避できる。
【手続補正書】
【提出日】平成16年3月30日(2004.3.30)
【手続補正１】
【補正対象書類名】明細書
【補正対象項目名】特許請求の範囲
【補正方法】変更
【補正の内容】
【特許請求の範囲】
【請求項１】
住宅の設計情報である三次元画像を作成及び表示するクライアント端末とネットワークを介してクライアント端末に接続されているパーツ管理サーバとを備える三次元画像表示システムであって、
前記パーツ管理サーバは、
住宅を構成する柱、壁、床、天井及び敷地に関する基本形状情報と、その基本形状情報の組合せでなる部屋、基礎及び屋根に関する応用形状情報と、建材の素材、建具、備品及び／又は家財道具を意味する外部情報とを保存するデータベースと、
前記外部情報に対してその所在を各別に示す番地を割り当てる番地割当手段と、
その番地により機能する検索手段と、
前記データベースに保存された前記外部情報を前記クライアント端末からの求めに応じて提供する外部情報提供手段とを備え、
前記クライアント端末は、
前記外部情報の一部又は全部を保存したデータベースと、
表示すべき三次元画像の必要に応じた前記外部情報のうち不足分を前記パーツ管理サーバから補填する不足情報補填手段とを備える三次元画像表示システム。
【請求項２】
前記クライアント端末にネットワーク接続されるサーバ上のホームページにモデルハウスの展示及び／又は住宅建築に関連する相談室を構成する展示場を備えたことを特徴とする請求項１に記載の三次元画像表示システム。
【請求項３】
前記外部情報を第三者の求めにより更新及び／又は追加するデータベース拡充手段を備えたことを特徴とする請求項１または請求項２に記載の三次元画像表示システム。
【請求項４】
サーバ管理者による前記番地の設定をなす番地設定手段を伴う前記データベース拡充手段を備えたことを特徴とする請求項３に記載の三次元画像表示システム。
【請求項５】
前記外部情報及びそれに関連するソフトウェアを格納した情報記憶媒体の所持者又はこれらを利用できる者に限定した利用者限定手段と、その限定利用者には前記展示場及び／又は前記相談室を利用できる会員権を付与することを特徴とする請求項１乃至請求項４のうちの何れか１項に記載の三次元画像表示システム。
【請求項６】
住宅建築用資材に関する情報を夫々の説明文も添付して前記データベースに格納したことを特徴とする請求項１乃至請求項５のうちの何れか１項に記載の三次元画像表示システム。
【請求項７】
前記外部情報を構成する部品に対して視点変化自在にすべく当該部品を適宜回転させて見た画像でなる部品回転視情報も、前記外部情報に添付して前記データベースに格納したことを特徴とする請求項１乃至請求項６のうちのいずれか１項に記載の三次元画像表示システム。
【請求項８】
複数のデータベースから最新情報を検出する最新情報検出手段と、最新でない情報を最新情報に更新する更新手段を備えたことを特徴とする請求項１乃至請求項７のうちのいずれか１項に記載の三次元画像表示システム。
【請求項９】
住宅の設計情報である三次元画像を作成及び表示するクライアント端末とネットワークを介してクライアント端末に接続されているパーツ管理サーバとを備える三次元画像表示システムにおけるモデルデータ構築方法であって、
前記クライアント端末から、住宅を構成する柱、壁、床、天井及び敷地に関する基本形状情報と、その基本形状情報の組合せでなる部屋、基礎及び屋根に関する応用形状情報を順次入力して基本情報を構築し、
建材の素材、建具、備品及び／又は家財道具を意味する外部情報に対して所在を各別に示す番地を割り当てるモデルデータ構築方法。
【請求項１０】
住宅の設計情報である三次元画像を作成及び表示すると共にクライアントデータベースを備えるクライアント端末と、ネットワークを介してクライアント端末に接続されていると共にサーバデータベースを備えるパーツ管理サーバとを備える三次元画像表示システムにおけるモデルデータ構築方法であって、
前記パーツ管理サーバにおいて、
前記クライアント端末から順次入力される、住宅を構成する柱、壁、床、天井及び敷地に関する基本形状情報と、その基本形状情報の組合せでなる部屋、基礎及び屋根に関する応用形状情報とから基本情報を構築し、
建材の素材、建具、備品及び／又は家財道具を意味する外部情報に対して所在を各別に示す番地を割り当て、
前記番地を用いて、前記サーバデータベースに保存された前記外部情報を前記クライアント端末からの求めに応じて提供し、
前記クライアント端末において、
表示すべき三次元画像の必要に応じた前記外部情報のうち、前記クライアントデータベースに保存されている前記外部情報では不足する情報を前記パーツ管理サーバから補填する
モデルデータ構築方法。
【手続補正２】
【補正対象書類名】明細書
【補正対象項目名】０００６
【補正方法】変更
【補正の内容】
【０００６】
【課題を解決するための手段】
前記目的を達成するために、第１の発明は、住宅の設計情報である三次元画像を作成及び表示するクライアント端末とネットワークを介してクライアント端末に接続されているパーツ管理サーバとを備える三次元画像表示システムを提供する。第１の発明において、
前記パーツ管理サーバは、
住宅を構成する柱、壁、床、天井及び敷地に関する基本形状情報と、その基本形状情報の組合せでなる部屋、基礎及び屋根に関する応用形状情報と、建材の素材、建具、備品及び／又は家財道具を意味する外部情報とを保存するデータベースと、前記外部情報に対してその所在を各別に示す番地を割り当てる番地割当手段と、その番地により機能する検索手段と、前記データベースに保存された前記外部情報を前記クライアント端末からの求めに応じて提供する外部情報提供手段とを備え、
前記クライアント端末は、
前記外部情報の一部又は全部を保存したデータベースと、表示すべき三次元画像の必要に応じた前記外部情報のうち不足分を前記パーツ管理サーバから補填する不足情報補填手段とを備えることを特徴とする。
【手続補正３】
【補正対象書類名】明細書
【補正対象項目名】００１２
【補正方法】変更
【補正の内容】
【００１２】
また、第１の発明では、前記外部情報の一部又は全部を保存したデータベースを前記クライアント端末にも具備し、表示すべき三次元画像の必要に応じた前記外部情報のうち不足分を前記パーツ管理サーバから補填する不足情報補填手段を備えた。このようにしたことにより、前記クライアント端末に予め具備された前記外部情報をクライアントがその手元で用いるのに、サーバへのアクセスが不要になり、その分だけ通信費用と時間の節約になる。又、一度サーバから読み込んだ前記外部情報は、その外部情報をクライアントデータベースに保存することにより、次回よりサーバへのアクセスが不要となる。


【手続補正４】
【補正対象書類名】明細書
【補正対象項目名】００９８
【補正方法】変更
【補正の内容】
【００９８】
また、第１の発明によれば、前記クライアント端末に予め具備された前記外部情報をクライアントがその手元で用いるのに、サーバへのアクセスが不要になり、その分だけ通信費用と時間の節約になる。又、一度サーバから読み込んだ前記外部情報は、その外部情報をクライアントデータベースに保存することにより、次回よりサーバへのアクセスが不要となる。
【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
医療機関から送られてきたレセプトの内容に基づいて患者の自己負担分以外の医療費を医療費負担機関へ請求する医療費請求支払方法において、
医療機関から送られてきたレセプト中に人的審査の必要な部分があるかどうかを判定する為の疑義付箋貼付条件を参照して、医療機関から送られてきたレセプトを、人的審査を必要とせず医療費負担機関へ請求に回せるレセプトと人的審査を必要とするレセプトに分類するステップと、
前記人的審査を必要とせず医療費負担機関へ請求に回せると分類されたレセプトによる医療費負担機関への請求を行うステップとを有することを特徴とする医療費請求支払方法。
【請求項２】
前記人的審査を必要とせず医療費負担機関へ請求に回せると分類されたレセプトによる医療費負担機関への請求を、前記人的審査を必要とすると分類されたレセプトによる請求よりも先に行うことを特徴とする請求項１に記載された医療費請求支払方法。
【請求項３】
前記人的審査を必要とせず医療費負担機関へ請求に回せると分類されたレセプトの内で、査定すべきと判断されたレセプトのデータを修正するＧＵＩを提供するステップを有することを特徴とする請求項１に記載された医療費請求支払方法。
【請求項４】
レセプト情報を、医療機関へネットワークを介して送信することを特徴とする請求項１に記載された医療費請求支払方法。
【請求項５】
点検作業や支払データ作成作業の優先順位付けを行うことを特徴とする請求項３に記載された医療費請求支払方法。
【請求項６】
前記優先順位付けを査定枚数の多い順に行うことを特徴とする請求項５に記載された医療費請求支払方法。
【請求項７】
再審査請求が必要と判断されたレセプトについてレセプト情報を、理由を付した形で審査支払機関へネットワークを介して送信することを特徴とする請求項６に記載された医療費請求支払方法。
【請求項８】
医療機関から送られてきたレセプトの内容に基づいて患者の自己負担分以外の医療費を医療費負担機関へ請求する医療費請求支払システムにおいて、
医療機関から送られてきたレセプト中に人的審査の必要な部分があるかどうかを判定する為の疑義付箋貼付条件を参照して、医療機関から送られてきたレセプトを、人的審査を必要とせず医療費負担機関へ請求に回せるレセプトと人的審査を必要とするレセプトに分類するレセプト分類処理部と、
前記人的審査を必要とせず医療費負担機関へ請求に回せると分類されたレセプトによる医療費負担機関への請求を行う請求・査定連絡処理部とを備えることを特徴とする医療費請求支払システム。
【請求項９】
医療機関から送られてきたレセプトの内容に基づいて患者の自己負担分以外の医療費を医療費負担機関へ請求する医療費請求支払システムとしてコンピュータを機能させる為のプログラムにおいて、
医療機関から送られてきたレセプト中に人的審査の必要な部分があるかどうかを判定する為の疑義付箋貼付条件を参照して、医療機関から送られてきたレセプトを、人的審査を必要とせず医療費負担機関へ請求に回せるレセプトと人的審査を必要とするレセプトに分類するレセプト分類処理部と、
前記人的審査を必要とせず医療費負担機関へ請求に回せると分類されたレセプトによる医療費負担機関への請求を行う請求・査定連絡処理部としてコンピュータを機能させることを特徴とするプログラム。